(57)【要約】【課題】  本発明は、ユーザの嗜好によってグリップ部の意匠デザインを容易に変えることが出来るグリップ構造を提供することを可能にすることを目的としている。【解決手段】  グリップ部のシャフト11の外周面上に内側粘着層１を介して加飾シート材７が貼着され、該加飾シート材７の外周面上に水溶性粘着層からなる外側粘着層４を介して透明または半透明で且つ伸縮自在のグリップ部材12が着脱可能に貼着された構成であることを特徴とする。【選択図】      図１
2007325699.tif 000002
【特許請求の範囲】
【請求項１】
グリップ部のシャフトの外周面上に粘着層を介して加飾シート材が貼着され、該加飾シート材の外周面上に水溶性粘着層を介して透明または半透明で且つ伸縮自在のグリップ部材が着脱可能に貼着されたことを特徴とするグリップ構造。
【請求項２】
前記水溶性粘着層または前記グリップ部材の一部に、該水溶性粘着層と前記グリップ部材との間に水を流通させて該水溶性粘着層に水を接触させ得る水流通路が形成されたことを特徴とする請求項１に記載のグリップ構造。
【請求項３】
前記水溶性粘着層の一部に形成した非粘着部により前記水流通路が形成されたことを特徴とする請求項２に記載のグリップ構造。
【請求項４】
前記グリップ構造は、ゴルフクラブのグリップ構造であることを特徴とする請求項１〜３の何れか１項に記載のグリップ構造。
【発明の詳細な説明】
【技術分野】
【０００１】
本発明は、把持して使用する各種物品のグリップ部のグリップ構造に関するものである。
【背景技術】
【０００２】
従来、ゴルフクラブのグリップ部を透明にして、該グリップ部内に写真や絵柄等の印刷物を内蔵したものが提案されている（例えば、特許文献１〜４参照。）。
【０００３】
【特許文献１】実用新案登録第３１０５４２４号公報
【特許文献２】特開平０５−０７６６３０号公報
【特許文献３】特開平０５−０８４３３６号公報
【特許文献４】特開平０５−２１２１４１号公報
【発明の開示】
【発明が解決しようとする課題】
【０００４】
しかしながら、前述の特許文献１〜４の技術では、ユーザの嗜好によってグリップ部の意匠デザインを容易に変えることが出来ないという問題があった。
【０００５】
本発明は前記課題を解決するものであり、その目的とするところは、ユーザの嗜好によってグリップ部の意匠デザインを容易に変えることが出来るグリップ構造を提供せんとするものである。
【課題を解決するための手段】
【０００６】
前記目的を達成するための本発明に係るグリップ構造の第１の構成は、グリップ部のシャフトの外周面上に粘着層を介して加飾シート材が貼着され、該加飾シート材の外周面上に水溶性粘着層を介して透明または半透明で且つ伸縮自在のグリップ部材が着脱可能に貼着されたことを特徴とする。
【０００７】
また、本発明に係るグリップ構造の第２の構成は、前記第１の構成において、前記水溶性粘着層または前記グリップ部材の一部に、該水溶性粘着層と前記グリップ部材との間に水を流通させて該水溶性粘着層に水を接触させ得る水流通路が形成されたことを特徴とする。
【０００８】
また、本発明に係るグリップ構造の第３の構成は、前記第２の構成において、前記水溶性粘着層の一部に形成した非粘着部により前記水流通路が形成されたことを特徴とする。
【０００９】
また、本発明に係るグリップ構造の第４の構成は、前記第１〜第３の構成において、前記グリップ構造は、ゴルフクラブのグリップ構造であることを特徴とする。
【発明の効果】
【００１０】
本発明に係るグリップ構造の第１の構成によれば、水溶性粘着層とグリップ部材との間に水を流通させて該水溶性粘着層に水を接触させることにより粘着力を除去して伸縮自在のグリップ部材を容易に脱離することが出来、加飾シート材を剥がして交換することが出来る。
【００１１】
交換した加飾シート材の外周面上にも水溶性粘着層が形成されており、該水溶性粘着層に水を接触させることにより粘着力を除去した状態で伸縮自在のグリップ部材を容易に装着することが出来、該水溶性粘着層の水分が揮発すると粘着力が復元してグリップ部材を貼着することが出来、透明または半透明のグリップ部材を透過して交換した加飾シート材の意匠を視認することが出来る。
【００１２】
また、本発明に係るグリップ構造の第２の構成によれば、水溶性粘着層またはグリップ部材の一部に形成された水流通路を利用して水溶性粘着層とグリップ部材との間に容易に水を流通させて該水溶性粘着層に水を接触させることが出来、該水溶性粘着層の粘着力を除去して伸縮自在のグリップ部材を容易に脱離することが出来る。
【００１３】
また、本発明に係るグリップ構造の第３の構成によれば、水溶性粘着層の一部に形成した非粘着部により形成された水流通路を利用して水溶性粘着層とグリップ部材との間に容易に水を流通させて該水溶性粘着層に水を接触させることが出来、該水溶性粘着層の粘着力を除去して伸縮自在のグリップ部材を容易に脱離することが出来る。
【００１４】
また、本発明に係るグリップ構造の第４の構成によれば、ゴルフクラブのグリップ構造に適用出来る。
【発明を実施するための最良の形態】
【００１５】
図により本発明に係るグリップ構造の一実施形態を具体的に説明する。先ず、図１〜図４を用いて本発明に係るグリップ構造をゴルフクラブのグリップ構造に適用した場合について説明する。図１〜図３はゴルフクラブのグリップ構造の第１実施形態の構成を示す。
【００１６】
図１（ａ）はゴルフクラブのグリップ部に適用した本発明に係るグリップ構造の第１実施形態の構成を示す断面説明図、図１（ｂ）は図１（ａ）のＡ−Ａ断面図、図２（ａ）は第１実施形態において加飾シート材の外周面上に設けられた水溶性粘着層の構成を示す平面図、図２（ｂ）は図２（ａ）のＢ−Ｂ断面図、図３（ａ）は第１実施形態においてグリップ部のシャフトの外周面上に粘着層を介して加飾シート材を貼着する様子を示す図、図３（ｂ）は第１実施形態において加飾シート材の外周面上に水溶性粘着層を介してグリップ部材を貼着する様子を示す図である。
【００１７】
図１〜図３において、６はゴルフクラブ21のグリップ構造であり、グリップ部の円柱状または円筒状のシャフト11の外周面上には内側粘着層１を介して該シャフト11のグリップ部の表面積に応じた図２（ａ）に示す長台形状の加飾シート材７が貼着されている。本実施形態の加飾シート材７は、図１（ａ）に示すように、台紙２の表面に印刷等により加飾層３が形成されたものである。内側粘着層１としては市販の両面テープ等を採用することが出来る。
【００１８】
加飾シート材７の外周面上には水溶性粘着層からなる外側粘着層４を介して透明または半透明で且つ伸縮自在で一方が開放され他方が閉塞された筒状のグリップ部材12が着脱可能に貼着されている。尚、グリップ部材12の閉塞側には空気抜き孔12ｂが形成されている。
【００１９】
水溶性粘着層からなる外側粘着層４の外表面側またはグリップ部材12内表面12ａ側の一部には該外側粘着層４とグリップ部材12との間に水を流通させて該水溶性粘着層からなる外側粘着層４に水を接触させ得る水流通路４ａが形成されており、本実施形態では、図１（ｂ）及び図２に示すように、水溶性粘着層からなる外側粘着層４の一部に加飾シート材７の長手方向全長に渡って形成した非粘着部となる接着層非形成部により水流通路４ａが形成された一例を示す。
【００２０】
尚、図示しないがグリップ部材12内表面12ａ側の一部に、該グリップ部材12の長手方向全長に渡って長尺状の溝部を形成して水流通路を形成することでも良い。
【００２１】
透明または半透明で且つ伸縮自在のグリップ部材12の材質としては、ポリウレタン樹脂、エチレン，プロピレン，非共役系ジエンからなる合成ゴム（ＥＰＤＭ）、該ＥＰＤＭにスチレンブタジエンゴム、フタル酸ジオクチル、天然ゴムが更に含まれた合成ゴム、エチレン−酢酸ビニル共重合体により構成することが出来る。
【００２２】
また、外側粘着層４を構成する水溶性粘着層の材質としては、公知の水溶性粘着材を採用することが出来る。
【００２３】
上記構成によれば、水溶性粘着層からなる外側粘着層４とグリップ部材12との間に形成された水流通路４ａから水を流通させて該水溶性粘着層に水を接触させることにより外側粘着層４の粘着力を除去して伸縮自在のグリップ部材12をシャフト11から容易に脱離することが出来、加飾シート材７を剥がして交換することが出来る。
【００２４】
図２に示すように、交換した加飾シート材７の外周面上にも水溶性粘着層からなる外側粘着層４が形成されており、図３（ａ）に示すように、内側粘着層１を介してシャフト11の外周面上に加飾シート材７を貼着し、該加飾シート材７の外周面上に形成された水溶性粘着層からなる外側粘着層４に水を接触させることにより該外側粘着層４の粘着力を除去した状態で、図３（ｂ）に示すように、伸縮自在のグリップ部材12をシャフト11に容易に装着することが出来る。
【００２５】
水溶性粘着層は水に接触することにより粘液状に遷移し、グリップ部材12の内表面12ａは粘液状に遷移した外側粘着層４の表面を滑って容易に着脱することが出来る。
【００２６】
水溶性粘着層の水分が揮発すると外側粘着層４の粘着力が復元してグリップ部材12を貼着することが出来、透明または半透明のグリップ部材12を透過して交換した加飾シート材７の意匠を視認することが出来る。
【００２７】
図２に示す加飾シート材７の両面に内側粘着層１と外側粘着層４とを設けた加飾シート材セットＳを一部品として取り扱う場合には、内側粘着層１と外側粘着層４のそれぞれの外側に図示しない離型シート材を貼着して取り扱うことが出来る。
【００２８】
次に図４を用いてゴルフクラブのグリップ部に適用した本発明に係るグリップ構造の第２実施形態の構成について説明する。図４は第２実施形態においてグリップ部のシャフトの外周面上に粘着層を介してテープ状の加飾シート材を貼着する様子を示す図である。
【００２９】
本実施形態では、図４に示すように、ゴルフクラブ21のグリップ部のシャフト11の外周面上に内側粘着層１を介してテープ状の加飾シート材７を巻回して貼着したものである。テープ状の加飾シート材７にはその外周面上に水溶性粘着層からなる外側粘着層４が形成されており、本実施形態では水溶性粘着層からなる外側粘着層４の一部に形成した非粘着部となる接着層非形成部により形成される水流通路４ａがテープの軸心ｏと平行なテープの長手方向に直行する軸ｏ´方向に対して傾斜して形成されており、シャフト11の外周面上に内側粘着層１を介してテープ状の加飾シート材７を巻回して貼着すると、水流通路４ａが連続して形成される。
【００３０】
図４に示すテープ状の加飾シート材７の両面に内側粘着層１と外側粘着層４とを設けたテープ状の加飾シート材セットＳを一部品として取り扱う場合には、外側粘着層４の外側に離型シート材５を貼着して内側粘着層１と外側粘着層４との間に離型シート材５を介在させて一部品として取り扱うことが出来る。他の構成は前記第１実施形態と同様に構成され、同様な効果を得ることが出来る。
【００３１】
図５は本発明に係るグリップ構造を自転車のハンドルのグリップ構造として適用した場合の構成を示す断面説明図である。尚、前記ゴルフクラブのグリップ構造の第１、第２実施形態と同様に構成したものは同一の符号を付して説明を省略する。
【００３２】
図５に示すように、自転車のハンドル22のグリップ部のシャフト11の外周面上に内側粘着層１を介して加飾シート材７が貼着され、該加飾シート材７の外周面上に水溶性粘着層からなる外側粘着層４を介して透明または半透明で且つ伸縮自在のグリップ部材12が着脱可能に貼着される。
【００３３】
図５（ｂ），（ｃ）に示すように、水溶性粘着層からなる外側粘着層４またはグリップ部材12の一部には、該外側粘着層４とグリップ部材12との間に水を流通させて該外側粘着層（水溶性粘着層）４に水を接触させ得る水流通路４ａが形成される。本実施形態の水流通路４ａは水溶性粘着層からなる外側粘着層４の一部に形成した非粘着部により形成される。他の構成は前述したゴルフクラブ21のグリップ構造６の第１、第２実施形態と同様に構成され、同様な効果を得ることが出来る。
【産業上の利用可能性】
【００３４】
本発明の活用例として、ゴルフクラブ21のグリップ構造６、或いは自転車のハンドル22のグリップ構造６に適用することが出来る。尚、本発明に係るグリップ構造６はゴルフクラブ21や自転車のハンドル22以外にもテニス、バドミントン、卓球等のスポーツ用品の各種ラケットのグリップ構造、或いはスキーのストック、釣竿、ビリヤードに使用するキュー、剣道に使用する竹刀、野球のバット等のグリップ構造、或いはハンマー、ドライバ等の各種工具のグリップ構造、ボールペンやシャープペンシル、万年筆等の筆記用具の各種グリップ構造、歯ブラシ、ヘアブラシ、モップ、バー状の傘の柄等の日用雑貨の各種グリップ構造、バー状の各種機器の操作レバーのグリップ構造、片持ち鍋やフライパン等の各種調理器具のグリップ構造、スプーン、フォーク、ナイフ等の各種食器類のグリップ構造、三輪車、モータバイク等のハンドルのグリップ構造、運搬作業用一輪車等のハンドルのグリップ構造等にも広く適用出来るものである。
【図面の簡単な説明】
【００３５】
【図１】（ａ）は本発明に係るゴルフクラブのグリップ構造の第１実施形態の構成を示す断面説明図、（ｂ）は図１（ａ）のＡ−Ａ断面図である。
【図２】（ａ）は第１実施形態において加飾シート材の外周面上に設けられた水溶性粘着層の構成を示す平面図、（ｂ）は図２（ａ）のＢ−Ｂ断面図である。
【図３】（ａ）は第１実施形態においてグリップ部のシャフトの外周面上に粘着層を介して加飾シート材を貼着する様子を示す図、（ｂ）は第１実施形態において加飾シート材の外周面上に水溶性粘着層を介してグリップ部材を貼着する様子を示す図である。
【図４】第２実施形態においてグリップ部のシャフトの外周面上に粘着層を介してテープ状の加飾シート材を貼着する様子を示す図である。
【図５】本発明に係るグリップ構造を自転車のハンドルのグリップ構造として適用した場合の構成を示す断面説明図である。
【符号の説明】
【００３６】
１…内側粘着層
２…台紙
３…加飾層
４…外側粘着層
４ａ…水流通路
５…離型シート材
６…グリップ構造
７…加飾シート材
11…シャフト
12…グリップ部材
12ａ…内表面
12ｂ…空気抜き孔
21…ゴルフクラブ
22…ハンドル
Ｓ…加飾シート材セット
【図１】
2007325699.tif 000003
【図２】
2007325699.tif 000004
【図３】
2007325699.tif 000005
【図４】
2007325699.tif 000006
【図５】
2007325699.tif 000007